(57)【要約】  【課題】  ユーザ要望の種々のメッセージおよび機能からユーザが適当と思うものを適宜に選択し容易に利用できるようにした携帯電話装置を提供する。  【解決手段】  この発明の携帯電話装置は、呼び出し側を一定の基準で区別できるように設定し、その区別毎に必要であろうと思われる機能やメッセージなどを含む応答方法を予め記憶部１３に用意しておく。この場合、応答方法には更なる詳細な区分可能な応答項目を選択可能に複数用意しておく。そして、制御部１９は、アンテナ１１および無線部１２を介して着信があった場合に、呼び出し側の区別を自動的に検出し、検出した区別に応じた応答方法を記憶部から読み出し、読み出した内容を表示器１５に表示して、ユーザに適切な応答項目を選択させ、選択された応答項目に対応した処理を行う。  【選択図】  図１
2005191773.tif 000002
【特許請求の範囲】
【請求項１】
呼び出し側の区別に応じて予め用意された複数の応答方法であって、それぞれが応答の詳細を指定する複数の応答項目を選択可能に含む応答方法を格納している応答方法記憶部と、
着信があった場合に、呼び出し側の区別を検出し、検出した区別に応じた応答方法を応答方法記憶部から読み出し、読み出した内容を表示器に表示して、ユーザに適切な応答項目を選択させ、応答項目が適切に選択された場合には選択された応答項目に対応した処理を行う応答処理制御部とを有する携帯電話装置。
【発明の詳細な説明】
【技術分野】
【０００１】
本発明は、無線部、記憶部、表示部、テンキー等を備えた携帯電話装置に関する。
【背景技術】
【０００２】
従来の携帯電話装置においては、着信があって直ぐに応答できない場合、オンフックキー（通信事業者、あるいは携帯電話装置の機種により異なる）を押下し応答保留機能を動作させることによって、発信者に対して規定のメッセージを流し、受信側が電話に応答できない旨を伝えることができるものがある。このとき、状況によっては、電話に応答できない旨を伝えるだけでなく、そのままの状態で少々待っていて欲しい場合や、電話での応答はしないまでも応答できない理由を伝えたい場合など、種々のメッセージを伝えたい場合がある。上述の従来の携帯電話装置の技術としては以下のような提案がある。
【特許文献１】特開平８−１４０１４６号公報  （第９頁の段落００４２、第１図）
【発明の開示】
【発明が解決しようとする課題】
【０００３】
上述のような場合に、電話に応答できない旨を伝えるだけでなく、そのままの状態で少々待っていて欲しい場合や、電話での応答はしないまでも応答できない理由を伝えたい場合など、種々のメッセージを伝えたい場合があるが、上記の従来技術では、これら全ての要求を満足させることはできず、結果として、ユーザは電話を取り“今は電話をすることができない”旨を伝えるか単に接続を切って発信者に不快感を与えたりしている。
【０００４】
この発明は上述した問題点を解決するためになされたものであり、ユーザが要望する種々のメッセージおよび機能を備え、それらの中からユーザが適当と思われるものを適宜に選択し容易に利用できるようにした携帯電話装置を提供することを目的とする。
【課題を解決するための手段】
【０００５】
上述した課題を解決するため、本発明に係る携帯電話装置は、呼び出し側の区別に応じて予め用意された複数の応答方法であって、それぞれが応答の詳細を指定する複数の応答項目を選択可能に含む応答方法を格納している応答方法記憶部と、着信があった場合に、呼び出し側の区別を検出し、検出した区別に応じた応答方法を応答方法記憶部から読み出し、読み出した内容を表示器に表示して、ユーザに適切な応答項目を選択させ、応答項目が適切に選択された場合には選択された応答項目に対応した処理を行う応答処理制御部とを有する。
【０００６】
このような構成によれば、呼び出し側を一定の基準で区別できるように設定し、その区別毎に必要であろうと思われる機能やメッセージなどを含む応答方法を予め応答方法記憶部に用意しておく。この場合、応答方法には更なる詳細な区分可能な応答項目を選択可能に複数用意しておく。そして、着信があった場合に、応答処理制御部は、呼び出し側の区別を検出し、検出した区別に応じた応答方法を応答方法記憶部から読み出し、読み出した内容を表示器に表示して、ユーザに適切な応答項目を選択させ、選択された応答項目に対応した処理を行う。
【発明の効果】
【０００７】
以上に詳述したように本発明によれば、ユーザが要望する種々のメッセージおよび機能を応答方法記憶部に用意することにより、着信があった場合に、応答処理制御部は、呼び出し側の区別を自動的に検出し、検出した区別に応じた応答方法を応答方法記憶部から読み出し、読み出した内容を表示器に表示して、ユーザに適切な応答項目を選択させ、選択された応答項目に対応した処理を容易に行うことができる。
【発明を実施するための最良の形態】
【０００８】
以下、本発明の実施の形態について図面を参照しつつ説明する。図１は本発明の携帯電話装置の実施の形態を示すブロック図、図２は、図１の携帯電話装置の動作を説明するためのフローチャート、図３は、図２で示される動作の中の一部分を示すフローチャート、図４（１）ないし図４（３）は、図１の表示部に表示される選択画面の内容を説明するための図、図５は、図４（１）ないし図４（３）で示された画面表示例に関連して図１の記憶部に格納されているデータの構造を説明するための図である。
【０００９】
図１で示される携帯電話装置１００は、アンテナ１１と、アンテナ１１を介して無線信号の送受信を行う無線部１２と、各種機能のための制御プログラム、種々のメッセージ、および、電話番号などのデータを格納する記憶部１３と、ユーザの音声（メッセージ）を電気信号に変換するマイク１４と、文字や画像などを表示するための表示部１５と、ユーザがデータを入力するための操作部１６と、電気信号を音声に変換するスピーカ１７と、振動によって着信をユーザに通知するバイブレータ１８と、携帯電話装置による通話を実行するために前述の各部１１〜１８を制御する制御部１９とを有している。
【００１０】
次に、図１の携帯電話装置１００の動作例について図２および図３を参照して説明する。制御部１９は、アンテナ１１と無線部１２を介して着信があったことを検出すると、予め設定された機能選択により、スピーカ１７から着信メロディを流し、あるいは、バイブレータ１８を振動させる（Ｓ０１）。この動作とともに、制御部１９は、表示部１５の表示画面に発信者の電話番号、あるいは、名前などを表示し、オフフックボタンが押下されるか否かを判断する（Ｓ０２）。判断の結果、オフフックボタンが押下されない場合には、一定時間の経過を計時し（Ｓ２１）、一定時間が経過したら自動応答（例えば、留守番応答）が設定されているか否かを判断する（Ｓ２２）。自動応答が設定されていれば、自動応答動作（Ｓ２３）に移行し、自動応答が設定されていなければ、ステップＳ０１に戻り、発呼側が呼び出しを停止するまで着信メロディ、あるいは、バイブレータ１８の振動を継続する。
【００１１】
ステップＳ０２において、オフフックボタンが押下されたと判断した場合には、制御部１９は、スピーカ１７からの着信メロディ、あるいは、バイブレータ１８の振動を停止させる（Ｓ０３）。着信メロディ、あるいは、バイブレータ１８の振動を停止させた後に、制御部１９は、ガードタイマをスタートさせる（Ｓ０４）。このガードタイマは、ユーザが応答保留時の動作決定を行わなかった場合に発信元を待たせないためのものである。制御部１９は、ガードタイマをスタートさせた後に、電話番号通知であるか否かを判断する（Ｓ０５）。判断の結果、電話番号通知であれば、電話帳登録有りであるか否かを判断する（Ｓ０６）。その判断の結果、電話帳登録有りと判断されたら図４（１）で示される内容を図１の表示部１５に表示する（Ｓ０７）。また、上述のステップＳ０５において、電話番号通知ではないと判断した場合には、図４（２）で示される内容を表示部１５に表示する（Ｓ０９）。さらに、ステップＳ０６において、電話帳登録有りと判断されなかった場合には、図４（３）で示される内容を表示部１５に表示する（Ｓ０９）。
【００１２】
例えば、図４（１）〜図４（３）で示されるうちの何れかを表示部１５に表示した後、ガードタイマに設定された時間内において、表示された内容のどの項目（図４（１）で示される例では、項目“１”〜“４”）が選択（例えば、矢印キーおよび決定キーによる選択）されたか判断し（Ｓ１０）、あるいは、ガードタイマに設定された時間内において、表示された内容のどの項目も選択されなかった場合には、予め定められた順番の項目（例えば、項目“１”とされたもの）を強制的に選択し（Ｓ１１）、その実行のために「電話を取る」動作に移行する（Ｓ１２）。「電話を取る」動作に移行した後、選択された項目に対応するメッセージを送信し（Ｓ１３）、選択された項目に対応する実行状態である応答保留状態（Ｓ１４）、留守番対応状態（Ｓ１５）、切断実行状態（Ｓ１６）のいずれかに移行しそれらの動作完了後に一連の制御動作を終了する。
【００１３】
なお、ステップＳ０４におけるガードタイマをスタートした後、ガードタイマの設定時間内において、表示画面における項目の選択前に、“オンフック”および“オフフック”のいずれかが押下された場合には、図３に示されるように、“オフフックボタン”が押下されたか否かを判断する（Ｓ３１）。“オフフックボタン”が押下されたのであれば、ガードタイマを停止し（Ｓ３２）、回線を切断する（Ｓ３３）。ステップＳ３１において、“オンフックボタン”が押下されたのであれば、ガードタイマを停止し（Ｓ３４）、通常の通話状態に移行する（Ｓ３５）。ステップＳ３３またはステップＳ３５に移行しそれらの動作完了後は制御動作を終了する。
【００１４】
上述の図３で示された画面表示例に関連して図１の記憶部１３に格納されている記憶内容の簡単な例を図５に示してある。すなわち、電話番号の区分けに対応して、動作フィールドには、選択数フィールドに示されている数の制御部１９の制御動作である“保留”、“留守”、“拒否”、“標準保留”、“標準拒否”のうちの選択されたものの指定が格納されている。テキストフィールドには画面に表示するための表示テキストが格納されている。また、音声データフィールドには、テキストフィールドに示される表示テキストに対応するサウンド・ファイルが格納されている。なお、ここでの音声データは、システム組み込みファイル、マイクから録音した音声、Ｉ−ｍｏｄｅ（登録商標）などのコンテンツサービスから取得したもの、メール添付データ、メモリカードによりインポートしたものなどを利用できるが、その場合のデータ取得手続き、フォーマット、保存、管理、指定方法などについては特に規定するものではない。
【図面の簡単な説明】
【００１５】
【図１】本発明の携帯電話装置の実施の形態を示すブロック図である。
【図２】図１の携帯電話装置の動作を説明するためのフローチャートである。
【図３】図２で示される動作の中の一部分を示すフローチャートである。
【図４】（１）ないし（３）は、図１の表示部に表示される選択画面の内容を説明するための図である。
【図５】図４（１）ないし図４（３）で示された画面表示例に関連して図１の記憶部に格納されているデータの構造を説明するための図である。
【符号の説明】
【００１６】
１１  アンテナ、１２  無線部、１３  記憶部、１４  マイク、１５  表示部、１６  操作部、１７  スピーカ、１８  バイブレータ、１００  携帯電話装置、Ｓ０１〜Ｓ３５  ステップ。
【図１】
2005191773.tif 000003
【図２】
2005191773.tif 000004
【図３】
2005191773.tif 000005
【図４】
2005191773.tif 000006
【図５】
2005191773.tif 000007